(57)【特許請求の範囲】
【請求項１】
自装置を操作するために用いられる画像を表示する表示手段と、
前記表示手段が消灯した状態にある自装置の周囲において人を検知する第１センサと、
前記第１センサにより人が検知されると人を検知する第２センサと、
ユーザを認証するための画像を撮影する第３センサと、
前記第２センサにより人が検知されると、自装置が設置された部屋の明るさの変化による前記第２センサの誤検知に起因して前記表示手段が点灯することを防止するために、前記第３センサにより人を再び検知する検知手段と、
前記検知手段により人が再び検知された場合、前記表示手段が点灯するように当該表示手段への電力の供給を制御する制御手段と
を有する画像表示装置。
【請求項２】
第１センサ、第２センサ、ユーザを認証するための画像を撮影する第３センサ、および自装置を操作するために用いられる画像を表示する表示部を有するコンピュータに、
前記第１センサが、前記表示部が消灯した状態にある前記コンピュータの周囲において人を検知するステップと、
前記第１センサにより人が検知されると、前記第２センサが人を検知するステップと、
前記第２センサにより人が検知されると、前記コンピュータが設置された部屋の明るさの変化による前記第２センサの誤検知に起因して前記表示部が点灯することを防止するために、前記第３センサにより人を再び検知するステップと、
人が再び検知された場合、前記表示部が点灯するように当該表示部への電力の供給を制御するステップと
を実行させるためのプログラム。
【発明の詳細な説明】
【技術分野】
【０００１】
本発明は、画像表示装置およびプログラムに関する。
【背景技術】
【０００２】
人感センサを用いて画像形成装置の節電状態を制御する技術が知られている。特許文献１には、人の接近を検知する人感センサと、人の移動情報を検出するアクセスカメラと、ユーザの個体認識情報を検出するための認識カメラとを用いて、ユーザが画像形成装置のタッチパネルに対峙するまでに、画像形成装置における各種デバイスへの電力供給を開始し、画像処理の動作が実行できる状態に遷移させる技術が記載されている。
【先行技術文献】
【特許文献】
【０００３】
【特許文献１】特開２０１４−０９９２０５号公報
【発明の概要】
【発明が解決しようとする課題】
【０００４】
従来技術では、画像形成装置の利用者がいない場合でも、センサの誤検知等で画像形成装置が節電復帰する場合があった。本発明は、情報処理装置の節電状態がセンサの誤検知により解除されるのを防止することを目的とする。
【課題を解決するための手段】
【０００６】
請求項１に係る画像表示装置は、自装置を操作するために用いられる画像を表示する表示手段と、前記表示手段が消灯した状態にある自装置の周囲において人を検知する第１センサと、前記第１センサにより人が検知されると人を検知する第２センサと、ユーザを認証するための画像を撮影する第３センサと、前記第２センサにより人が検知されると、自装置が設置された部屋の明るさの変化による前記第２センサの誤検知に起因して前記表示手段が点灯することを防止するために、前記第３センサにより人を再び検知する検知手段と、前記検知手段により人が再び検知された場合、前記表示手段が点灯するように当該表示手段への電力の供給を制御する制御手段とを有する。
【００１０】
請求項２に係るプログラムは、第１センサ、第２センサ、ユーザを認証するための画像を撮影する第３センサ、および自装置を操作するために用いられる画像を表示する表示部を有するコンピュータに、前記第１センサが、前記表示部が消灯した状態にある前記コンピュータの周囲において人を検知するステップと、前記第１センサにより人が検知されると、前記第２センサが人を検知するステップと、前記第２センサにより人が検知されると、前記コンピュータが設置された部屋の明るさの変化による前記第２センサの誤検知に起因して前記表示部が点灯することを防止するために、前記第３センサにより人を再び検知するステップと、人が再び検知された場合、前記表示部が点灯するように当該表示部への電力の供給を制御するステップとを実行させる。
【発明の効果】
【００１１】
請求項１に係る画像表示装置によれば、第１センサまたは第２センサにより人の検知状態が確認される場合に比べて高い精度で、人の検知状態が確認される。
請求項１に係る画像表示装置によれば、センサの誤検知による表示手段の点灯が防止される。
請求項２に係るプログラムによれば、センサの誤検知による表示部の点灯が防止される。
【図面の簡単な説明】
【００１２】
【図１】画像形成装置のハードウェア構成を示すブロック図
【図２】画像形成装置が動作状態を制御する処理の比較例
【図３】画像形成装置の機能構成を示すブロック図
【図４】画像形成装置が動作状態を制御する処理を示すフローチャート
【図５】画像形成装置が動作状態を制御する別の処理を示すフローチャート
【発明を実施するための形態】
【００１３】
図１は、本発明の一実施形態に係る画像形成装置１のハードウェア構成を示すブロック図である。同図に示したように、画像形成装置１は、制御部１０１と、記憶部１０２と、操作部１０３と、表示部１０４と、画像読取部１０５と、画像形成部１０６と、通信部１０７と、画像処理部１０８と、第１センサ１０９と、第２センサ１１０と、第３センサ１１１とを備える情報処理装置である。また、画像形成装置１の各部は、バス１１２に接続されており、このバス１１２を介して各種データの授受を行う。
【００１４】
制御部１０１は、画像形成装置１の各部の動作を制御する手段である。制御部１０１は、ＣＰＵ（Central Processing Unit）などの演算処理装置と、ＲＯＭ（Read Only Memory）、ＲＡＭ（Random Access Memory）などの記憶媒体（主記憶装置）とを備える。ＣＰＵは、ＲＯＭおよび記憶部１０２に記憶されているプログラムを読み出し、ＲＡＭを作業エリアにしてプログラムを実行する。制御部１０１は、このようにプログラムを実行することにより、用紙（記録媒体の一例）に画像を形成すること（印刷すること）、原稿（記録媒体の一例）から画像を読み取って画像データを生成すること、通信回線を介して他の装置と通信を行うことなどを実現する。制御部１０１は、表示部１０４、画像読取部１０５、および画像形成部１０６（以下、「表示部１０４等」という）の動作状態を制御する。表示部１０４等の動作状態は、少なくとも通常状態および節電状態を含む。通常状態は、表示部１０４等に対する電力の供給が節電状態に比べて高い状態である。節電状態は、表示部１０４等に対する電力の供給が通常状態に比べて低い状態である。具体的には、制御部１０１は、図示せぬ電源から表示部１０４、画像読取部１０５、画像形成部１０６への電力の供給を、第１センサ１０９と第２センサ１１０からの信号に応じて制御することにより、表示部１０４等の動作状態を制御する。制御部１０１が表示部１０４等の動作状態を制御する処理の詳細については後述する。
【００１５】
記憶部１０２は、データを記憶する手段である。記憶部１０２は、ハードディスク、フラッシュメモリなどの記憶媒体（補助記憶装置）を備え、通信部１０７で受信したデータや画像形成装置１で生成されたデータなどを記憶する。また、記憶部１０２は、いわゆるメモリーカードやＵＳＢメモリなどの着脱可能な記憶媒体（リムーバブルメディア）と、その記憶媒体にデータを読み書きする手段とを含んでもよい。記憶部１０２は、表示部１０４等の動作状態を制御するためのプログラム（以下、「制御プログラム」という）を記憶する。
【００１６】
操作部１０３は、ユーザの操作を受け付ける手段である。操作部１０３は、操作子（ボタン、キーなど）を備え、押下された操作子に応じた制御信号を制御部１０１に供給する。また、操作部１０３は、表示部１０４と、表示部１０４の表示面に重ねて設けられたセンサとを備え、押圧した位置に応じた制御信号を制御部１０１に供給するタッチパネルによって構成されてもよい。
【００１７】
表示部１０４は、情報を表示する手段である。表示部１０４は、表示装置として例えば液晶ディスプレイを有する。表示部１０４は、制御部１０１の制御の下、画像形成装置１を操作するために用いられる画像を表示する。表示部１０４は、通常状態において点灯し、節電状態において消灯する。
【００１８】
画像読取部１０５は、原稿を読み取って画像データに変換する手段である。画像読取部１０５は、原稿を光学的に読み取り、読み取った原稿の画像を表す画像データを生成する画像読取機構と、画像読取機構に対して原稿を供給する給紙機構とを備えている。画像読取部１０５は、生成した画像データを画像処理部１０８に供給する。画像読取部１０５は、通常状態において稼働し、節電状態では稼働しない。なお、ここでいう「画像読取部１０５の稼働」とは、原稿の読み取りに備えるセットアップ処理（例えば、給紙機構を調整する動作など）、原稿の搬送、または原稿の読み取りなどの動作を行っている状態をいう。
【００１９】
画像形成部１０６は、用紙に画像を形成する手段である。画像形成部１０６は、電子写真方式によって用紙にＹ（Yellow）、Ｍ（Magenta）、Ｃ（Cyan）、Ｋ（Black）の各色成分のトナー像を形成する画像形成機構と、用紙を搬送する搬送機構とを具備している。なお、画像形成機構は、電子写真方式に限らず、インクジェット方式などの他の記録方式が用いられてもよい。画像形成部１０６は、通常状態において稼働し、節電状態では稼働しない。なお、ここでいう「画像形成部１０６の稼働」とは、画像の形成に備えるセットアップ処理（例えば、搬送機構を調整する処理など）、用紙の搬送、または画像の形成などの動作を行っている状態をいう。
【００２０】
通信部１０７は、データを送受信する手段である。通信部１０７は、図示せぬ通信回線に接続されており、外部装置と通信を行う通信インタフェースとして機能する。
【００２１】
画像処理部１０８は、画像データに対して画像処理を実行する手段である。ここでいう画像処理とは、例えば、色補正や階調補正である。画像形成装置１においてプリント機能が実行される場合、画像処理部１０８は、画像処理が施された画像データを画像形成部１０６に供給する。
【００２２】
第１センサ１０９および第２センサ１１０は、表示部１０４等の動作状態を切り替える契機として、人を検出するセンサである。第１センサ１０９は、画像形成装置１の周囲において人を検知するセンサであって、例えば、焦電素子の焦電効果を用いた赤外線センサである。なお、「画像形成装置１の周囲」とは、センサが人を検知することが可能な範囲、または、画像形成装置１から予め定められた距離の範囲をいう。第２センサ１１０は、画像形成装置１の周囲において人を検知するセンサであって、例えば、人を撮影するためのカメラ機能を備えるセンサである。第２センサ１１０は、第１センサ１０９よりも消費電力が高いセンサである。本実施形態では、消費電力を抑制するため、第１センサ１０９と第２センサ１１０の２段階で人を検知する。具体的には、第２センサ１１０は、第１センサ１０９により人が検知されると起動され、人の動きを検知する。なお「起動」とは、給電などにより予め定められた機能を発揮できる状態に遷移させることをいう。
【００２３】
画像形成装置１における複写、プリント、スキャン、またはファクシミリ送受信などの各種機能は、ユーザが認証された状態において実行される。第３センサ１１１は、ユーザを認証するためのセンサであって、カメラ機能を備えるセンサである。第３センサ１１１は、カメラ機能により、ユーザを認証するために用いられる画像を撮影する。具体的には、第３センサ１１１は、ユーザから認証情報を検出するため、例えば、ユーザの顔などの個々人に特有の箇所を撮影する。制御部１０１は、第３センサ１１１により撮影された画像から検出された認証情報と、記憶部１０２に予め記憶された個々人の顔などの特徴を示す情報とを照合することにより、ユーザを認証する。
【００２４】
図２は、画像形成装置１が表示部１０４等の動作状態を制御する処理の比較例を示す図である。図２では、表示部１０４等が節電状態にあるときに、第１センサ１０９により人が検知されると（Ｓ２０：ＹＥＳ）、制御部１０１は、第２センサ１１０を起動する（Ｓ３０）。第２センサ１１０が起動されてから時間Ｔ１が経過する前に第２センサ１１０により人の動きが検知されると（Ｓ４０：ＹＥＳ、Ｓ５０：ＹＥＳ）、制御部１０１は、表示部１０４等の節電状態を解除する（Ｓ６０）。なお、「節電状態の解除」とは、表示部１０４等の動作状態を節電状態から通常状態に遷移させることをいう。制御部１０１は、その後、第３センサ１１１を起動し（Ｓ７０）、第３センサ１１１が起動されてから時間Ｔ２が経過する前にユーザが認証されると（Ｓ８０：ＹＥＳ、Ｓ９０：ＹＥＳ）、ユーザが画像形成装置１の各種機能を利用するための操作に用いられる画面（以下、「メニュー画面」という）を表示部１０４に表示する（Ｓ１００）。
【００２５】
図２に示す処理が行われる場合においては、次のような問題が起こる可能性がある。いま、ある人が節電状態である画像形成装置１の周囲を通り、画像形成装置１が設置された部屋の明かりを消灯（または点灯）する状況を考える。この場合、第１センサ１０９により人の動きが検出され（Ｓ２０：ＹＥＳ）、第２センサ１１０が起動される（Ｓ３０）。第２センサ１１０が起動された状態で、部屋の明かりが消灯（または点灯）されると、第２センサ１１０が部屋の明るさの変化を、人の動きとして誤って検知し（Ｓ５０：ＹＥＳ）、制御部１０１は、表示部１０４等の節電状態を解除する（Ｓ６０）。この場合、部屋の明かりを消灯した人の意図しないタイミングで表示部１０４が点灯し、また、画像読取部１０５および画像形成部１０６が稼働する。そのため、部屋の明かりを消灯した人が予期しない光と音が画像形成装置１から発生し驚く可能性がある。本発明に係る画像形成装置１は、第２センサ１１０により人が検知されると、人を再び検知することにより、部屋の明かりを消灯した人の意図しないタイミングで表示部１０４等の節電状態が解除されることを防止する。
【００２６】
図３は、画像形成装置１の機能構成を示すブロック図である。画像形成装置１は、検知手段１１と、確認手段１２と、制御手段１３と、表示手段１４と、画像形成手段１５と、画像読取手段１６とを有する。検知手段１１は、節電状態にある画像形成装置１の周囲において人を検知する。確認手段１２は、検知手段１１により人が検知されると、人の検知状態を確認する。制御手段１３は、確認手段１２により人の検知状態が確認された場合、節電状態が解除されるように画像形成装置１における電力の供給を制御する。制御手段１３は、また、確認手段１２により人の検知状態が確認されない場合、節電状態が維持されるように画像形成装置１における電力の供給を制御する。表示手段１４は、画像形成装置１を操作するために用いられる画像を表示する。画像形成手段１５は、用紙に画像を形成する。画像読取手段１６は、原稿から画像を読み取る。なお、画像形成装置１に含まれる検知手段１１、確認手段１２、および制御手段１３は、本発明に係る電力供給制御装置の一例である。
【００２７】
図２において、第１センサ１０９および第２センサ１１０は、検知手段１１の一例である。第１センサ１０９、第２センサ１１０、または第３センサ１１１は、確認手段１２の一例である。制御プログラムを実行している制御部１０１は制御手段１３の一例である。表示部１０４は、表示手段１４の一例である。画像形成部１０６は、画像形成手段１５の一例である。画像読取部１０５は、画像読取手段１６の一例である。
【００２８】
（第１実施形態）
図４は、第１実施形態において、画像形成装置１が表示部１０４等の動作状態を制御する処理を示すフローチャートである。図４の処理は、表示部１０４等が節電状態にあるときに開始される。また、図４の処理の開始時点において、第２センサ１１０および第３センサ１１１は起動されていない。
【００２９】
ステップＳ１０において、制御部１０１は、第１センサ１０９を用いて人の検知を試みる。具体的には、制御部１０１は、人が検知されたことを示す信号が第１センサ１０９から出力されたか否かを判断する。ステップＳ２０において、制御部１０１は、第１センサ１０９により人が検知されたか否かを判断する。人が検知されたと判断された場合（Ｓ２０：ＹＥＳ）、制御部１０１は、処理をステップＳ３０に移行する。人が検知されていないと判断された場合（Ｓ２０：ＮＯ）、制御部１０１は、処理をステップＳ１０に移行し、引き続き第１センサ１０９を用いて人の検知を試みる。
【００３０】
ステップＳ３０において、制御部１０１は、第２センサ１１０を起動する。ステップＳ４０において、制御部１０１は、第２センサ１１０が起動されてから時間Ｔ１が経過していないか否かを判断する。時間Ｔ１は、第２センサ１１０が起動されてから停止されるまでの時間であって、予めＲＯＭに記憶されている。時間Ｔ１が経過していないと判断された場合（Ｓ４０：ＹＥＳ）、制御部１０１は、処理をステップＳ５０に移行する。時間Ｔ１が経過したと判断された場合（Ｓ４０：ＮＯ）、制御部１０１は、第２センサ１１０を停止して、処理をステップＳ１０に移行する。
【００３１】
ステップＳ５０において、制御部１０１は、第２センサ１１０により人が検知されたか否かを判断する。具体的には、制御部１０１は、人が検知されたことを示す信号が第２センサ１１０から出力されたか否かを判断する。人が検知されたと判断された場合（Ｓ５０：ＹＥＳ）、制御部１０１は、処理をステップＳ５１に移行する。人が検知されていないと判断された場合（Ｓ５０：ＮＯ）、制御部１０１は、処理をステップＳ４０に移行する。
【００３２】
ステップＳ５１において、制御部１０１は、第１センサ１０９を用いて人の再検知を試みた回数Ｎが上限回数に達していないか否かを判断する。ステップＳ５１の判断は、後述のステップＳ５３において、誤って人が検知されなかった場合を考慮して、人の再検知が複数回試みられるようにするために実行される。回数Ｎは、初期値がゼロであって、ステップＳ５２の処理が行われる度に１ずつインクリメントされる。なお、上限回数は、予めＲＯＭに記憶されている。回数Ｎが上限回数に達していないと判断された場合（Ｓ５１：ＹＥＳ）、制御部１０１は、処理をステップＳ５２に移行する。回数Ｎが上限回数に達していると判断された場合（Ｓ５１：ＮＯ）、制御部１０１は、第２センサ１１０を停止して、処理をステップＳ１０に移行する。なお、ステップＳ５１において「ＮＯ」と判断された場合、制御部１０１は、回数Ｎをリセットする。
【００３３】
ステップＳ５２において、制御部１０１は、第１センサ１０９を用いて人の再検知を試みる。具体的には、制御部１０１は、第１センサ１０９から出力される信号を予め定められた時間監視し、人が検知されたことを示す信号が第１センサ１０９から出力されたか否かを判断する。ステップＳ５３において、制御部１０１は、第１センサ１０９により人が検知されたか否かを判断する。人が検知されたと判断された場合（Ｓ５３：ＹＥＳ）、制御部１０１は、回数Ｎをリセットし、処理をステップＳ６０に移行する。
【００３４】
ステップＳ６０において、制御部１０１は、表示部１０４等の節電状態を解除する。節電状態が解除されると、表示部１０４は点灯し、画像読取部１０５および画像形成部１０６はセットアップ処理を開始する。
【００３５】
ステップＳ７０において、制御部１０１は、第３センサ１１１を起動する。第３センサ１１１が起動されると、第３センサ１１１は、ユーザを認証するために用いられる画像の撮影を開始する。ステップＳ８０において、制御部１０１は、第３センサ１１１が起動されてから時間Ｔ２が経過していないか否かを判断する。時間Ｔ２は、第３センサ１１１が起動されてから停止されるまでの時間であって、予めＲＯＭに記憶されている。時間Ｔ２が経過していないと判断された場合（Ｓ８０：ＹＥＳ）、制御部１０１は、処理をステップＳ９０に移行する。時間Ｔ２が経過したと判断された場合（Ｓ８０：ＮＯ）、制御部１０１は、第２センサ１１０および第３センサ１１１を停止して、処理をステップＳ１０に移行する。
【００３６】
ステップＳ９０において、制御部１０１は、ユーザが認証されたか否かを判断する。具体的には、制御部１０１は、第３センサ１１１により撮影された画像から認証情報を検出し、当該認証情報と、記憶部１０２に予め記憶された個々人の顔などの特徴を示す情報とを照合することによりユーザを認証する。ユーザが認証されたと判断された場合（Ｓ９０：ＹＥＳ）、制御部１０１は、処理をステップＳ１００に移行する。ユーザが認証されていないと判断された場合（Ｓ９０：ＮＯ）、制御部１０１は、処理をステップＳ８０に移行する。ステップＳ１００において、制御部１０１は、メニュー画面を表示部１０４に表示する。ユーザは、メニュー画面を操作して画像形成装置１の各種機能の利用を開始する。
【００３７】
以上の処理により、第２センサ１１０により人が検知された場合、第１センサ１０９を用いて人の検知が試みられ、人が再び検知されたときに表示部１０４等の節電状態が解除される。これにより、部屋の明かりが消灯（または点灯）されたことにより第２センサ１１０が誤作動を起こし、表示部１０４等の節電状態が不必要に解除されることが防止される。したがって、部屋の明かりを消灯した人の予期しないタイミングで表示部１０４が点灯し、また、画像読取部１０５および画像形成部１０６から音が生じることが防止される。
【００３８】
（第２実施形態）
図５は、第２実施形態において、画像形成装置１が表示部１０４等の動作状態を制御する別の処理を示すフローチャートである。図５の処理は、表示部１０４等が節電状態にあるときに開始される。また、図５の処理の開始時点において、第２センサ１１０および第３センサ１１１は起動されていない。以下では、図４に示した処理と異なる部分を中心に説明する。
【００３９】
ステップＳ５０において人が検知されたと判断された場合（Ｓ５０：ＹＥＳ）、制御部１０１は、処理をステップＳ５４に移行する。ステップＳ５４において、制御部１０１は、第３センサ１１１を起動する。ステップＳ５５において、制御部１０１は、第３センサ１１１により人が検知されたか否かを判断する。制御部１０１は、例えば、第３センサ１１１により撮影された画像に、人の顔が含まれているか否かを判断する。人が検知されたと判断された場合（Ｓ５５：ＹＥＳ）、制御部１０１は、処理をステップＳ６０に移行する。人が検知されていないと判断された場合（Ｓ５５：ＮＯ）、制御部１０１は、第２センサ１１０および第３センサ１１１を停止して、処理をステップＳ１０に移行する。
【００４０】
以上の処理により、第２センサ１１０により人が検知された場合、第３センサ１１１を用いて人の検知が試みられ、人が検知されたときに表示部１０４等の節電状態が解除される。これにより、部屋の明かりが消灯（または点灯）されたことにより第２センサ１１０が誤作動を起こし、表示部１０４等の節電状態が不必要に解除されることが防止される。したがって、部屋の明かりを消灯した人の予期しないタイミングで表示部１０４が点灯し、また、画像読取部１０５および画像形成部１０６から音が生じることが防止される。
【００４１】
本発明は、上述の実施形態に限定されるものではなく、種々の変形実施が可能である。以下、変形例をいくつか説明する。以下で説明する変形例のうち、２つ以上のものが組み合わされて用いられてもよい。
【００４２】
（１）変形例１
表示部１０４等の節電状態が解除されるタイミングは、実施形態に示したタイミングに限らない。例えば、画像読取部１０５および画像形成部１０６の節電状態の解除は、ステップＳ１００においてメニュー画面が表示部１０４に表示され、画像形成装置１の各種機能を利用するための操作が受け付けられた後に行われてもよい。具体例として、ユーザがメニュー画面を操作して、スキャン機能またはファクシミリ機能を利用するための指示が入力されると画像読取部１０５の節電状態が解除され、プリント機能を利用するための指示が入力されると画像形成部１０６の節電状態が解除され、複写機能を利用するための指示が入力されると画像読取部１０５および画像形成部１０６の節電状態が解除されてもよい。
【００４３】
（２）変形例２
第２センサ１１０により人が検知された後に画像形成装置１が人を再び検知するために用いるセンサは、第１センサ１０９または第３センサ１１１に限らない。画像形成装置１は、第２センサ１１０を用いて人を再び検知してもよい。
【００４４】
（３）変形例３
画像形成装置１は、表示部１０４、画像読取部１０５、および画像形成部１０６以外の構成について動作状態を制御してもよい。例えば、画像形成装置１により排出された用紙に対して、ソーティング、ステープル処理、パンチング処理、または中綴じ処理などの処理を行う処理装置が画像形成装置１に接続されている場合、画像形成装置１は、当該処理装置の動作状態を制御してもよい。別の例で、画像形成装置１に給紙するための給紙装置が画像形成装置１に接続されている場合、画像形成装置１は、当該給紙装置の動作状態を制御してもよい。
【００４５】
（４）変形例４
本発明に係る動作状態の制御は、画像形成装置１以外の情報処理装置において行われてもよい。例えば、画像表示装置において、本発明に係る動作状態の制御が表示部に対して行われてもよい。
【００４６】
（５）変形例５
図４において、第２センサ１１０により人が検知された後に、第１センサにより再検知が試みられる回数は、複数回に限らない。第２センサ１１０により人が検知された後に試みられる第１センサによる再検知の回数は、１回であってもよい。この場合、ステップＳ５１の処理は省略され、ステップＳ５３において、人が検知されていないと判断された場合（Ｓ５３：ＮＯ）、制御部１０１は、第２センサ１１０を停止して、処理をステップＳ１０に移行する。
【００４７】
（６）変形例６
ステップＳ５５において人が検知される方法は、実施形態に例示した方法に限らない。制御部１０１は、例えば、第３センサ１１１により撮影された画像に人の目が含まれているか否かを判断することにより人を検知してもよい。別の例で、制御部１０１は、人が画像形成装置１の周囲にいないときに第３センサ１１１により予め撮影された画像と、ステップＳ５４において第３センサ１１１が起動された後に当該第３センサ１１１により撮影された画像とを比較することにより人を検知してもよい。さらに別の例で、制御部１０１は、第３センサ１１１により撮影された画像から物体の動きを検知することにより人を検知してもよい。
【００４８】
（７）その他の変形例
画像形成装置１のハードウェア構成は、図１に示した構成に限らない。画像形成装置１は、図４または図５に示した各ステップの処理を実行できれば、どのようなハードウェア構成であってもよい。
【００４９】
実施形態において、画像形成装置１によって実行される制御プログラムは、磁気記憶媒体（磁気テープ、磁気ディスク（ＨＤＤ、ＦＤ（Flexible Disk））など）、光記憶媒体（光ディスク（ＣＤ（Compact Disk）、ＤＶＤ（Digital Versatile Disk））など）、光磁気記憶媒体、半導体メモリ（フラッシュＲＯＭなど）などのコンピュータが読み取り可能な記憶媒体に記憶した状態で提供されてもよい。また、このプログラムは、インターネットなどのネットワーク経由でダウンロードされてもよい。
【符号の説明】
【００５０】
１…画像形成装置、１０１…制御部、１０２…記憶部、１０３…操作部、１０４…表示部、１０５…画像読取部、１０６…画像形成部、１０７…通信部、１０８…画像処理部、１０９…第１センサ、１１０…第２センサ、１１１…第３センサ、１１…検知手段、１２…確認手段、１３…制御手段、１４…表示手段、１５…画像形成手段、１６…画像読取手段
【要約】
【課題】情報処理装置の節電状態がセンサの誤検知により解除されるのを防止する。
【解決手段】
検知手段１１は、節電状態にある画像形成装置１の周囲において人を検知する。確認手段１２は、検知手段１１により人が検知されると、人の検知状態を確認する。制御手段１３は、確認手段１２により人の検知状態が確認された場合、節電状態が解除されるように画像形成装置１における電力の供給を制御する。制御手段１３は、また、確認手段１２により人の検知状態が確認されない場合、節電状態が維持されるように画像形成装置１における電力の供給を制御する。
【選択図】図３【図１】
0005812170.tif 000002
【図２】
0005812170.tif 000003
【図３】
0005812170.tif 000004
【図４】
0005812170.tif 000005
【図５】
0005812170.tif 000006